(57)【要約】【課題】  全体として高画質の画像を得ることができる画像形成装置を提供する。【解決手段】  原稿から画像を読み取る画像読取部と、画像読取部に対向して配置されて画像読取部による画像の読み取り時に画像読取部とともに原稿を挟む白天板と、白天板より色の濃度が濃く白天板と交換可能な黒天板とを備えるＭＦＰは、画像読取部によって読み取られた画像に裏写りが発生するか否かを画像読取部によって読み取られた画像に基づいて判定し、白天板が画像読取部に対向して配置されている場合に裏写りが発生すると判定したとき黒天板への交換の提案を通知し（Ｓ１８１）、黒天板への交換の提案を通知した後に画像読取部によって画像を再び読み取らせ（Ｓ１９０またはＳ１９２）、裏写りが発生すると決定したページのみ、画像読取部によって再び読み取らせた画像を、画像読取部によって前回読み取られた画像と差し替える（Ｓ１９１）ことを特徴とする。【選択図】  図１２
2016034081.tif 000002
【特許請求の範囲】
【請求項１】
原稿から画像を読み取る画像読取部と、
前記画像読取部に対向して配置されて前記画像読取部による画像の読み取り時に前記画像読取部とともに原稿を挟む第１部材と、
前記第１部材より色の濃度が濃く前記第１部材と交換可能な第２部材と、
前記画像読取部によって読み取られた画像に裏写りが発生するページか否かを決定する裏写り発生ページ決定手段と、
前記第２部材への交換の提案を通知する第２部材交換通知手段と、
前記第２部材への交換の提案が前記第２部材交換通知手段によって通知された後に前記画像読取部によって画像を再び読み取らせる再読み取り手段とを備え、
前記裏写り発生ページ決定手段は、裏写りが発生するページか否かを前記画像読取部によって読み取られた画像に基づいて判定し、
前記第２部材交換通知手段は、前記第１部材が前記画像読取部に対向して配置されている場合に、裏写りが発生するページが前記裏写り発生ページ決定手段によって判定されたとき、前記第２部材への交換の提案を通知し、
前記再読み取り手段は、裏写りが発生すると前記裏写り発生ページ決定手段によって決定されたページのみ、前記画像読取部によって再び読み取らせた画像を、前記画像読取部によって前回読み取られた画像と差し替えることを特徴とする画像形成装置。
【請求項２】
前記第２部材交換通知手段は、前記第２部材への交換の提案を通知する場合に、裏写りが発生すると前記裏写り発生ページ決定手段によって判定されたページを通知し、
前記裏写り発生ページ決定手段は、裏写りが発生するページの指定を受け付け、受け付けたページを、裏写りが発生するページとして決定することを特徴とする請求項１に記載の画像形成装置。
【請求項３】
前記第２部材交換通知手段は、裏写りが発生すると前記裏写り発生ページ決定手段によって判定されたページを通知する場合に、前記画像読取部によって読み取られた画像を通知することを特徴とする請求項２に記載の画像形成装置。
【請求項４】
前記再読み取り手段は、前記画像読取部によって前回読み取られた画像と差し替えるページのみ、前記画像読取部によって画像を再び読み取らせることを特徴とする請求項１から請求項３までの何れかに記載の画像形成装置。
【請求項５】
前記画像読取部に原稿を自動的に搬送する自動原稿送り装置を備え、
前記再読み取り手段は、前記画像読取部によって画像を再び読み取らせる場合に、全ての原稿が前記自動原稿送り装置によって搬送されるとき、前記画像読取部によって前回読み取られた画像と差し替えるページ以外のページに対して、前記画像読取部によって画像を再び読み取らせることなく、前記自動原稿送り装置による搬送を行うことを特徴とする請求項４に記載の画像形成装置。
【請求項６】
前記裏写り発生ページ決定手段は、原稿の一面側から前記画像読取部によって読み取られた画像において特定の濃度以上の画素が存在する場合に、原稿の他面側から前記画像読取部によって読み取られた画像に裏写りが発生すると判定することを特徴とする請求項１から請求項５までの何れかに記載の画像形成装置。
【請求項７】
前記裏写り発生ページ決定手段は、原稿の一面側から前記画像読取部によって読み取られた画像において前記特定の濃度以上の画素が特定の数以上存在する場合に、原稿の他面側から前記画像読取部によって読み取られた画像に裏写りが発生すると判定することを特徴とする請求項６に記載の画像形成装置。
【発明の詳細な説明】
【技術分野】
【０００１】
本発明は、原稿から画像を読み取る画像形成装置に関する。
【背景技術】
【０００２】
従来、原稿から画像を読み取る画像形成装置として、原稿から画像を読み取る画像読取部と、画像読取部に対向して配置されて画像読取部とともに原稿を挟む白色部材と、白色部材より色の濃度が濃く白色部材と交換可能な黒色部材とを備える画像形成装置が知られている（例えば、特許文献１参照。）。従来の画像形成装置は、原稿の背景色が白色である場合に、白色部材が画像読取部に対向して配置されることによって、画像読取部による原稿の読み取りにおいて原稿から白色を高精度に読み取ることができる。また、従来の画像形成装置は、原稿において画像読取部によって読み取られる面とは反対側の面が例えば印刷や手書きが施されているなどして白色ではない場合に、黒色部材が画像読取部に対向して配置されることによって、画像読取部によって読み取られた画像に裏写りが発生することを抑えることができる。
【先行技術文献】
【特許文献】
【０００３】
【特許文献１】特開２０１２−１９１６７４号公報
【発明の概要】
【発明が解決しようとする課題】
【０００４】
しかしながら、従来の画像形成装置おいては、白色部材および黒色部材の何れか１つのみが画像読取部に対向して配置された状態で、画像読取部によって全てのページの画像が読み取られるので、画質が最適ではない画像が含まれるという問題がある。
【０００５】
そこで、本発明は、全体として高画質の画像を得ることができる画像形成装置を提供することを目的とする。
【課題を解決するための手段】
【０００６】
本発明の画像形成装置は、原稿から画像を読み取る画像読取部と、前記画像読取部に対向して配置されて前記画像読取部による画像の読み取り時に前記画像読取部とともに原稿を挟む第１部材と、前記第１部材より色の濃度が濃く前記第１部材と交換可能な第２部材と、前記画像読取部によって読み取られた画像に裏写りが発生するページか否かを決定する裏写り発生ページ決定手段と、前記第２部材への交換の提案を通知する第２部材交換通知手段と、前記第２部材への交換の提案が前記第２部材交換通知手段によって通知された後に前記画像読取部によって画像を再び読み取らせる再読み取り手段とを備え、前記裏写り発生ページ決定手段は、裏写りが発生するページか否かを前記画像読取部によって読み取られた画像に基づいて判定し、前記第２部材交換通知手段は、前記第１部材が前記画像読取部に対向して配置されている場合に、裏写りが発生するページが前記裏写り発生ページ決定手段によって判定されたとき、前記第２部材への交換の提案を通知し、前記再読み取り手段は、裏写りが発生すると前記裏写り発生ページ決定手段によって決定されたページのみ、前記画像読取部によって再び読み取らせた画像を、前記画像読取部によって前回読み取られた画像と差し替えることを特徴とする。
【０００７】
この構成により、本発明の画像形成装置は、裏写りが発生しないと決定したページの画像を、第１部材が画像読取部に対向して配置されている場合に画像読取部によって読み取られた画像とするとともに、裏写りが発生すると決定したページの画像を、第２部材が画像読取部に対向して配置されている場合に画像読取部によって読み取られた画像とするので、全体として高画質の画像を得ることができる。
【０００８】
また、本発明の画像形成装置において、前記第２部材交換通知手段は、前記第２部材への交換の提案を通知する場合に、裏写りが発生すると前記裏写り発生ページ決定手段によって判定されたページを通知し、前記裏写り発生ページ決定手段は、裏写りが発生するページの指定を受け付け、受け付けたページを、裏写りが発生するページとして決定しても良い。
【０００９】
この構成により、本発明の画像形成装置は、裏写りが発生すると判定したページの原稿を実際に利用者に視認させた上で、裏写りが発生すると利用者によって判定されたページのみ画像を差し替えることができる。
【００１０】
また、本発明の画像形成装置において、前記第２部材交換通知手段は、裏写りが発生すると前記裏写り発生ページ決定手段によって判定されたページを通知する場合に、前記画像読取部によって読み取られた画像を通知しても良い。
【００１１】
この構成により、本発明の画像形成装置は、実際に読み取った画像を利用者に視認させた上で、裏写りが発生すると利用者によって判定されたページのみ画像を差し替えることができる。
【００１２】
また、本発明の画像形成装置において、前記再読み取り手段は、前記画像読取部によって前回読み取られた画像と差し替えるページのみ、前記画像読取部によって画像を再び読み取らせても良い。
【００１３】
この構成により、本発明の画像形成装置は、差し替えるページのみ画像を再び読み取るので、効率を向上することができる。
【００１４】
また、本発明の画像形成装置は、前記画像読取部に原稿を自動的に搬送する自動原稿送り装置を備え、前記再読み取り手段は、前記画像読取部によって画像を再び読み取らせる場合に、全ての原稿が前記自動原稿送り装置によって搬送されるとき、前記画像読取部によって前回読み取られた画像と差し替えるページ以外のページに対して、前記画像読取部によって画像を再び読み取らせることなく、前記自動原稿送り装置による搬送を行っても良い。
【００１５】
この構成により、本発明の画像形成装置は、差し替えるページを原稿の全体のページから利用者が抽出する必要がないので、効率を向上することができる。
【００１６】
また、本発明の画像形成装置において、前記裏写り発生ページ決定手段は、原稿の一面側から前記画像読取部によって読み取られた画像において特定の濃度以上の画素が存在する場合に、原稿の他面側から前記画像読取部によって読み取られた画像に裏写りが発生すると判定しても良い。
【００１７】
この構成により、本発明の画像形成装置は、原稿の一面側から画像読取部によって読み取られた画像において特定の濃度以上の画素が存在する場合に、原稿の他面側から画像読取部によって読み取られた画像に裏写りが発生すると判定し、第１部材が画像読取部に対向して配置されている場合に裏写りが発生すると判定したとき第２部材への交換の提案を通知するので、画像読取部によって読み取られる画像に裏写りが発生するか否かを利用者が原稿を見て判断する必要が無く、利便性を向上することができる。
【００１８】
また、本発明の画像形成装置において、前記裏写り発生ページ決定手段は、原稿の一面側から前記画像読取部によって読み取られた画像において前記特定の濃度以上の画素が特定の数以上存在する場合に、原稿の他面側から前記画像読取部によって読み取られた画像に裏写りが発生すると判定しても良い。
【００１９】
この構成により、本発明の画像形成装置は、原稿の一面側から画像読取部によって読み取られた画像において特定の濃度以上の画素が存在する場合であっても、特定の濃度以上の画素が特定の数未満であるときに、原稿の他面側から画像読取部によって読み取られた画像に裏写りが発生すると判定しないので、利用者にとってあまり気にならない程度の少しの裏写りを問題とせず、利便性を向上することができる。
【発明の効果】
【００２０】
本発明の画像形成装置は、全体として高画質の画像を得ることができる。
【図面の簡単な説明】
【００２１】
【図１】本発明の一実施の形態に係るＭＦＰのブロック図である。
【図２】白天板が装着されている蓋が開けられている状態での図１に示すＭＦＰの外観斜視図である。
【図３】黒天板が装着されている蓋が開けられている状態での図１に示すＭＦＰの外観斜視図である。
【図４】（ａ）は、白天板が装着されている蓋が閉じられている状態での図２に示すスキャナーの一部の正面断面図である。  （ｂ）は、白天板が装着されている蓋が閉じられていて、画像読取部と白天板とによって原稿が挟まれている状態での図２に示すスキャナーの一部の正面断面図である。
【図５】裏写り判定用濃度閾値および裏写り判定用画素数閾値の指定を受け付ける場合の図１に示すＭＦＰの動作のフローチャートである。
【図６】図１に示す表示部に表示される判定基準設定画面の一例を示す図である。
【図７】原稿の種類の指定を受け付ける場合の図１に示すＭＦＰの動作のフローチャートである。
【図８】図１に示す表示部に表示される原稿モード設定画面の一例を示す図である。
【図９】原稿の両面の画像を記録媒体の両面または片面に印刷するコピーのジョブを実行する場合の図１に示すＭＦＰの動作のフローチャートである。
【図１０】図９の続きのフローチャートである。
【図１１】図９および図１０の続きのフローチャートである。
【図１２】図１１の続きのフローチャートである。
【図１３】図１に示す表示部に表示される裏紙原稿モード天板交換通知画面の一例を示す図である。
【図１４】図１に示す表示部に表示される厚紙原稿モード天板交換通知画面の一例を示す図である。
【図１５】図１に示す表示部に表示される黒天板装着済通知画面の一例を示す図である。
【図１６】図１に示す表示部に表示されるプレビュー画面の一例を示す図である。
【図１７】図１６に示すプレビュー画面に示されているプレビュー画像の基になった原稿を示す図である。
【図１８】図１に示す表示部に表示される再読み取り選択画面の一例を示す図である。
【発明を実施するための形態】
【００２２】
以下、本発明の一実施の形態について、図面を用いて説明する。
【００２３】
まず、本実施の形態に係る画像形成装置としてのＭＦＰ（Ｍｕｌｔｉｆｕｎｃｔｉｏｎ  Ｐｅｒｉｐｈｅｒａｌ）の構成について説明する。
【００２４】
図１は、本実施の形態に係るＭＦＰ１０のブロック図である。
【００２５】
図１に示すように、ＭＦＰ１０は、種々の操作が入力されるボタンなどの入力デバイスである操作部１１と、種々の情報を表示するＬＣＤ（Ｌｉｑｕｉｄ  Ｃｒｙｓｔａｌ  Ｄｉｓｐｌａｙ）などの表示デバイスである表示部１２と、原稿から画像を読み取る読取デバイスであるスキャナー１３と、用紙などの記録媒体に印刷を実行する印刷デバイスであるプリンター１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で外部の装置と通信を行うネットワーク通信デバイスであるネットワーク通信部１６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部１７と、ＭＦＰ１０全体を制御する制御部１８とを備えている。
【００２６】
図２は、白天板１３ｅ、１３ｆが装着されている蓋１３ａが開けられている状態でのＭＦＰ１０の外観斜視図である。
【００２７】
図２に示すように、スキャナー１３は、開閉可能な蓋１３ａと、蓋１３ａの上部に備えられているＡＤＦ（Ａｕｔｏ  Ｄｏｃｕｍｅｎｔ  Ｆｅｅｄｅｒ：自動原稿送り装置）１３ｂと、ＡＤＦ１３ｂが使用されない場合に利用者によって手動で１ページずつセットされた原稿から画像を読み取る画像読取部１３ｃと、ＡＤＦ１３ｂが使用される場合にＡＤＦ１３ｂによって自動的に搬送された原稿から画像を読み取る画像読取部１３ｄと、蓋１３ａに対して着脱可能な第１部材としての白色の天板（以下「白天板」と言う。）１３ｅ、１３ｆとを備えている。
【００２８】
図３は、黒天板１３ｇ、１３ｈが装着されている蓋１３ａが開けられている状態でのＭＦＰ１０の外観斜視図である。
【００２９】
図３に示すように、スキャナー１３は、白天板１３ｅ、１３ｆ（図２参照。）と交換可能な第２部材として、白色より色の濃度が濃い黒色の天板（以下「黒天板」と言う。）１３ｇ、１３ｈを備えている。
【００３０】
図４（ａ）は、白天板１３ｅが装着されている蓋１３ａが閉じられている状態でのスキャナー１３の一部の正面断面図である。図４（ｂ）は、白天板１３ｅが装着されている蓋１３ａが閉じられていて、画像読取部１３ｃと白天板１３ｅとによって原稿９０が挟まれている状態でのスキャナー１３の一部の正面断面図である。
【００３１】
図４（ａ）に示すように、白天板１３ｅは、画像読取部１３ｃに対向して配置されている。そして、図４（ｂ）に示すように、白天板１３ｅは、画像読取部１３ｃによる画像の読み取り時に画像読取部１３ｃとともに原稿９０を挟む。なお、画像読取部１３ｃおよび白天板１３ｅの関係について説明したが、画像読取部１３ｄ（図２参照。）と、白天板１３ｆ（図２参照。）との関係、画像読取部１３ｃと、黒天板１３ｇ（図３参照。）との関係、および、画像読取部１３ｄと、黒天板１３ｈ（図３参照。）との関係についても同様である。
【００３２】
図１に示すように、記憶部１７は、白天板１３ｅ、１３ｆ（以下、単に「白天板」と言う。）が画像読取部１３ｃ、１３ｄ（以下、単に「画像読取部」と言う。）に対向して配置されている場合に画像読取部によって読み取られた画像に対して白天板に応じた色補正処理を行うための白天板用補正テーブル１７ａと、黒天板１３ｇ、１３ｈ（以下、単に「黒天板」と言う。）が画像読取部に対向して配置されている場合に画像読取部によって読み取られた画像に対して黒天板に応じた色補正処理を行うための黒天板用補正テーブル１７ｂとを記憶している。また、記憶部１７は、画像読取部によって読み取られた画像に裏写りが発生するか否かを画素の濃度に基づいて判定する基準としての特定の濃度を示す裏写り判定用濃度閾値１７ｃと、画像読取部によって読み取られた画像に裏写りが発生するか否かを画素数に基づいて判定する基準としての特定の数を示す裏写り判定用画素数閾値１７ｄとを記憶している。
【００３３】
記憶部１７は、裏写りが発生する可能性が高い原稿として、画像読取部によって読み取られる面の裏面が印刷や手書きなどによって使用されている原稿（以下「裏紙原稿」と言う。）が使用されるか否かを示す裏紙原稿フラグ１７ｅを記憶している。また、記憶部１７は、裏写りが発生する可能性が低い原稿として、特定の厚み以上の原稿（以下「厚紙原稿」と言う。）が使用されるか否かを示す厚紙原稿フラグ１７ｆを記憶している。
【００３４】
制御部１８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部１７に記憶されているプログラムを実行する。
【００３５】
制御部１８は、ＲＯＭまたは記憶部１７に記憶されているプログラムを実行することによって、画像読取部によって読み取られた画像に裏写りが発生するページか否かを決定する裏写り発生ページ決定手段１８ａ、黒天板への交換の提案を通知する第２部材交換通知手段としての黒天板交換通知手段１８ｂ、および、黒天板への交換の提案が黒天板交換通知手段１８ｂによって通知された後に画像読取部によって画像を再び読み取らせる再読み取り手段１８ｃとして機能する。
【００３６】
ＭＦＰ１０は、スキャナー１３によって原稿から読み取った画像をプリンター１４によって記録媒体に印刷するコピーのジョブ、スキャナー１３によって原稿から読み取った画像を記憶部１７に記憶させたりネットワーク通信部１６によって外部の装置に送信したりするスキャンのジョブ、スキャナー１３によって原稿から読み取った画像をファックス通信部１５によってファックス送信するファックスのジョブなど、スキャナー１３によって原稿から読み取った画像を処理する種々のジョブを実行可能である。
【００３７】
次に、ＭＦＰ１０の動作について説明する。
【００３８】
図５は、裏写り判定用濃度閾値１７ｃおよび裏写り判定用画素数閾値１７ｄの指定を受け付ける場合のＭＦＰ１０の動作のフローチャートである。
【００３９】
裏写り判定用濃度閾値１７ｃおよび裏写り判定用画素数閾値１７ｄの指定を受け付ける処理の開始が操作部１１を介して指示されると、制御部１８は、図５に示す動作を実行する。
【００４０】
図５に示すように、制御部１８は、裏写り判定用濃度閾値１７ｃおよび裏写り判定用画素数閾値１７ｄの指定を受け付けるための図６に示す判定基準設定画面２０を表示部１２に表示する（Ｓ１０１）。
【００４１】
図６は、表示部１２に表示される判定基準設定画面２０の一例を示す図である。
【００４２】
図６に示す判定基準設定画面２０は、裏写り判定用濃度閾値１７ｃの指定を受け付けるためのテキストボックス２１と、裏写り判定用画素数閾値１７ｄの指定を受け付けるためのテキストボックス２２と、裏写り判定用濃度閾値１７ｃおよび裏写り判定用画素数閾値１７ｄの指定の受け付けを中止するためのキャンセルボタン２３と、裏写り判定用濃度閾値１７ｃおよび裏写り判定用画素数閾値１７ｄの指定の受け付けを実行するためのＯＫボタン２４とを含む。利用者は、操作部１１を介してテキストボックス２１およびテキストボックス２２に値を入力することができる。判定基準設定画面２０は、キャンセルボタン２３またはＯＫボタン２４が押されると、表示部１２による表示が終了する。
【００４３】
図５に示すように、制御部１８は、Ｓ１０１の処理が終了すると、操作部１１を介してＯＫボタン２４が押されたか否かを判断する（Ｓ１０２）。
【００４４】
制御部１８は、ＯＫボタン２４が押されていないとＳ１０２において判断すると、操作部１１を介してキャンセルボタン２３が押されたか否かを判断する（Ｓ１０３）。
【００４５】
制御部１８は、キャンセルボタン２３が押されたとＳ１０３において判断すると、図５の処理の実行を終了する。
【００４６】
制御部１８は、キャンセルボタン２３が押されていないとＳ１０３において判断すると、Ｓ１０２の処理を実行する。
【００４７】
制御部１８は、ＯＫボタン２４が押されたとＳ１０２において判断すると、ＯＫボタン２４が押された時点でテキストボックス２１に入力されていた値を、新たに指定された裏写り判定用濃度閾値１７ｃとして受け付けて、受け付けた値によって記憶部１７上の裏写り判定用濃度閾値１７ｃを更新する（Ｓ１０４）。例えば、ＯＫボタン２４が押された時点でテキストボックス２１に入力されていた値が図６に示す「１２８，１２８，１２８」である場合、制御部１８は、裏写り判定用濃度閾値１７ｃを「ＲＧＢ（１２８，１２８，１２８）」として更新する。
【００４８】
制御部１８は、Ｓ１０４の処理の後、ＯＫボタン２４が押された時点でテキストボックス２２に入力されていた値を、新たに指定された裏写り判定用画素数閾値１７ｄとして受け付けて、受け付けた値によって記憶部１７上の裏写り判定用画素数閾値１７ｄを更新する（Ｓ１０５）。例えば、ＯＫボタン２４が押された時点でテキストボックス２２に入力されていた値が図６に示す「１０００」である場合、制御部１８は、裏写り判定用画素数閾値１７ｄを「１０００」として更新する。
【００４９】
制御部１８は、Ｓ１０５の処理の後、図５に示す動作を終了する。
【００５０】
図７は、原稿の種類の指定を受け付ける場合のＭＦＰ１０の動作のフローチャートである。
【００５１】
原稿の種類の指定を受け付ける処理の開始が操作部１１を介して指示されると、制御部１８は、図７に示す動作を実行する。
【００５２】
図７に示すように、制御部１８は、原稿の種類の指定を受け付けるための図８に示す原稿モード設定画面３０を表示部１２に表示する（Ｓ１１１）。
【００５３】
図８は、表示部１２に表示される原稿モード設定画面３０の一例を示す図である。
【００５４】
図８に示す原稿モード設定画面３０は、厚紙原稿および裏紙原稿の何れでもない通常の原稿（以下「通常原稿」と言う。）の指定を受け付けるためのラジオボタン３１と、厚紙原稿の指定を受け付けるためのラジオボタン３２と、厚紙原稿ではない裏紙原稿の指定を受け付けるためのラジオボタン３３と、原稿の種類の指定の受け付けを中止するためのキャンセルボタン３４と、原稿の種類の指定の受け付けを実行するためのＯＫボタン３５とを含む。ラジオボタン３１〜３３は、常に何れか１つが選択されている状態になる。利用者は、操作部１１を介してラジオボタン３１〜３３の何れかを選択することができる。原稿モード設定画面３０は、キャンセルボタン３４またはＯＫボタン３５が押されると、表示部１２による表示が終了する。
【００５５】
図７に示すように、制御部１８は、Ｓ１１１の処理が終了すると、操作部１１を介してＯＫボタン３５が押されたか否かを判断する（Ｓ１１２）。
【００５６】
制御部１８は、ＯＫボタン３５が押されていないとＳ１１２において判断すると、操作部１１を介してキャンセルボタン３４が押されたか否かを判断する（Ｓ１１３）。
【００５７】
制御部１８は、キャンセルボタン３４が押されたとＳ１１３において判断すると、図７の処理の実行を終了する。
【００５８】
制御部１８は、キャンセルボタン３４が押されていないとＳ１１３において判断すると、Ｓ１１２の処理を実行する。
【００５９】
制御部１８は、ＯＫボタン３５が押されたとＳ１１２において判断すると、ＯＫボタン３５が押された時点でラジオボタン３１〜３３によって選択されていた原稿の種類を判断する（Ｓ１１４）。
【００６０】
制御部１８は、通常原稿が選択されていたとＳ１１４において判断すると、裏紙原稿フラグ１７ｅおよび厚紙原稿フラグ１７ｆを倒す（Ｓ１１５）。
【００６１】
制御部１８は、厚紙原稿が選択されていたとＳ１１４において判断すると、裏紙原稿フラグ１７ｅを倒して厚紙原稿フラグ１７ｆを立てる（Ｓ１１６）。すなわち、制御部１８は、厚紙原稿の指定を受け付ける。
【００６２】
制御部１８は、裏紙原稿が選択されていたとＳ１１４において判断すると、厚紙原稿フラグ１７ｆを倒して裏紙原稿フラグ１７ｅを立てる（Ｓ１１７）。すなわち、制御部１８は、裏紙原稿の指定を受け付ける。
【００６３】
制御部１８は、Ｓ１１５、Ｓ１１６またはＳ１１７の処理が終了すると、図７の処理の実行を終了する。
【００６４】
図９は、原稿の両面の画像を記録媒体の両面または片面に印刷するコピーのジョブを実行する場合のＭＦＰ１０の動作のフローチャートである。図１０は、図９の続きのフローチャートである。図１１は、図９および図１０の続きのフローチャートである。図１２は、図１１の続きのフローチャートである。
【００６５】
原稿の両面の画像を記録媒体の両面または片面に印刷するコピーのジョブの実行の開始が操作部１１を介して指示されると、制御部１８は、図９〜図１２に示す動作を実行する。
【００６６】
なお、制御部１８は、実行を開始したコピーのジョブがＡＤＦ１３ｂを使用しないジョブである場合に、図９〜図１２に示す動作において、白天板、黒天板、画像読取部として、それぞれ、白天板１３ｅ、黒天板１３ｇ、画像読取部１３ｃを処理の対象とする。一方、制御部１８は、実行を開始したコピーのジョブがＡＤＦ１３ｂを使用するジョブである場合に、図９〜図１２に示す動作において、白天板、黒天板、画像読取部として、それぞれ、白天板１３ｆ、黒天板１３ｈ、画像読取部１３ｄを処理の対象とする。
【００６７】
図９〜図１２に示すように、制御部１８は、白天板および黒天板の何れが蓋１３ａに装着されているか判断する（Ｓ１２１）。
【００６８】
なお、制御部１８は、白天板および黒天板の何れが蓋１３ａに装着されているかを、図示していないセンサーの検知結果に基づいて判断することが可能である。例えば、制御部１８は、白天板および黒天板にそれぞれ特有の切欠きが有るなど、白天板および黒天板の形状に違いがある場合には、白天板および黒天板の形状の違いを接触式センサーや非接触式センサーによって検知することによって、白天板および黒天板の何れが蓋１３ａに装着されているかを判断することが可能である。また、制御部１８は、蓋１３ａに装着されている白天板および黒天板の色を光学式センサーで検知することによって、白天板および黒天板の何れが蓋１３ａに装着されているかを判断することも可能である。
【００６９】
黒天板交換通知手段１８ｂは、白天板が蓋１３ａに装着されているとＳ１２１において判断されると、裏紙原稿フラグ１７ｅが立っているか否かを判断する（Ｓ１２２）。
【００７０】
黒天板交換通知手段１８ｂは、裏紙原稿フラグ１７ｅが立っているとＳ１２２において判断すると、図１３に示す裏紙原稿モード天板交換通知画面４０を表示部１２に表示する（Ｓ１２３）。
【００７１】
図１３は、表示部１２に表示される裏紙原稿モード天板交換通知画面４０の一例を示す図である。
【００７２】
図１３に示す裏紙原稿モード天板交換通知画面４０は、裏紙原稿モードであることと、黒天板への交換の提案とを通知するメッセージ４１と、メッセージ４１を読んだことを確認するためのＯＫボタン４２とを含む。裏紙原稿モード天板交換通知画面４０は、ＯＫボタン４２が押されると、表示部１２による表示が終了する。
【００７３】
利用者は、裏紙原稿モード天板交換通知画面４０のメッセージ４１を読むことによって、蓋１３ａに装着されている天板を白天板から黒天板に交換することが促される。
【００７４】
図９〜図１２に示すように、制御部１８は、Ｓ１２３の処理の後、ＯＫボタン４２が押されたと判断するまで、ＯＫボタン４２が押されたか否かを判断する（Ｓ１２４）。
【００７５】
制御部１８は、ＯＫボタン４２が押されたとＳ１２４において判断すると、黒天板に交換されたと判断するまで、図示していないセンサーの検知結果に基づいて黒天板に交換されたか否かを判断する（Ｓ１２５）。
【００７６】
制御部１８は、黒天板に交換されたとＳ１２５において判断すると、色補正処理を行うための補正テーブルとして黒天板用補正テーブル１７ｂを設定する（Ｓ１２６）。
【００７７】
次いで、制御部１８は、全ての原稿の読み取りが終了するまで、原稿に対して１枚ずつ順番に、Ｓ１２８およびＳ１２９の処理を繰り返す（Ｓ１２７）。
【００７８】
すなわち、制御部１８は、Ｓ１２６において設定した黒天板用補正テーブル１７ｂを使用して原稿の表面の画像を画像読取部によって読み取った後（Ｓ１２８）、Ｓ１２６において設定した黒天板用補正テーブル１７ｂを使用して原稿の裏面の画像を画像読取部によって読み取る（Ｓ１２９）。
【００７９】
制御部１８は、全ての原稿の読み取りが終了したとＳ１２７において判断すると、全ての原稿に対してＳ１２８およびＳ１２９の処理によって読み取った画像をプリンター１４によって記録媒体に印刷して（Ｓ１３０）、図９〜図１２に示す動作を終了する。
【００８０】
制御部１８は、裏紙原稿フラグ１７ｅが立っていないとＳ１２２において判断すると、厚紙原稿フラグ１７ｆが立っているか否かを判断する（Ｓ１３１）。
【００８１】
制御部１８は、厚紙原稿フラグ１７ｆが立っているとＳ１３１において判断すると、色補正処理を行うための補正テーブルとして白天板用補正テーブル１７ａを設定する（Ｓ１３２）。
【００８２】
次いで、制御部１８は、Ｓ１３２において設定した白天板用補正テーブル１７ａを使用してＳ１２７〜Ｓ１２９の処理を実行した後、Ｓ１３０の処理を実行して、図９〜図１２に示す動作を終了する。
【００８３】
制御部１８は、黒天板が蓋１３ａに装着されているとＳ１２１において判断すると、裏紙原稿フラグ１７ｅが立っているか否かを判断する（Ｓ１４１）。
【００８４】
制御部１８は、裏紙原稿フラグ１７ｅが立っているとＳ１４１において判断すると、Ｓ１２６〜Ｓ１３０の処理を実行して、図９〜図１２に示す動作を終了する。
【００８５】
制御部１８は、裏紙原稿フラグ１７ｅが立っていないとＳ１４１において判断すると、厚紙原稿フラグ１７ｆが立っているか否かを判断する（Ｓ１４２）。
【００８６】
制御部１８は、厚紙原稿フラグ１７ｆが立っているとＳ１４２において判断すると、図１４に示す厚紙原稿モード天板交換通知画面５０を表示部１２に表示する（Ｓ１４３）。
【００８７】
図１４は、表示部１２に表示される厚紙原稿モード天板交換通知画面５０の一例を示す図である。
【００８８】
図１４に示す厚紙原稿モード天板交換通知画面５０は、厚紙原稿モードであることと、白天板への交換の提案とを通知するメッセージ５１と、メッセージ５１を読んだことを確認するためのＯＫボタン５２とを含む。厚紙原稿モード天板交換通知画面５０は、ＯＫボタン５２が押されると、表示部１２による表示が終了する。
【００８９】
利用者は、厚紙原稿モード天板交換通知画面５０のメッセージ５１を読むことによって、蓋１３ａに装着されている天板を黒天板から白天板に交換することが促される。
【００９０】
図９〜図１２に示すように、制御部１８は、Ｓ１４３の処理の後、ＯＫボタン５２が押されたと判断するまで、ＯＫボタン５２が押されたか否かを判断する（Ｓ１４４）。
【００９１】
制御部１８は、ＯＫボタン５２が押されたとＳ１４４において判断すると、白天板に交換されたと判断するまで、図示していないセンサーの検知結果に基づいて白天板に交換されたか否かを判断する（Ｓ１４５）。
【００９２】
制御部１８は、白天板に交換されたとＳ１４５において判断すると、Ｓ１３２およびＳ１２７〜Ｓ１３０の処理を実行して、図９〜図１２に示す動作を終了する。
【００９３】
制御部１８は、厚紙原稿フラグ１７ｆが立っていないとＳ１４２において判断すると、図１５に示す黒天板装着済通知画面６０を表示部１２に表示する（Ｓ１４６）。
【００９４】
図１５は、表示部１２に表示される黒天板装着済通知画面６０の一例を示す図である。
【００９５】
図１５に示す黒天板装着済通知画面６０は、黒天板が装着されていることと、白天板への交換の提案とを通知するメッセージ６１と、白天板に交換することをＭＦＰ１０に伝えるためのボタン６２と、白天板に交換しないことをＭＦＰ１０に伝えるためのボタン６３とを含む。黒天板装着済通知画面６０は、ボタン６２またはボタン６３が押されると、表示部１２による表示が終了する。
【００９６】
利用者は、黒天板装着済通知画面６０のメッセージ６１を読むことによって、蓋１３ａに装着されている天板を黒天板から白天板に交換するか否かを判断することができる。例えば、黒天板が装着されている状態で画像読取部によって画像が読み取られると、黒天板用補正テーブル１７ｂを使用した色補正処理によって画像が明るくされることによって、黒天板の影響による画像の暗さが改善されるものの、画像に含まれる暗くない色も同時に明るくなって画像が全体的に白飛びしてしまう。このような白飛びを避けることを希望する利用者は、蓋１３ａに装着されている天板を黒天板から白天板に交換することを選択することができる。
【００９７】
図９〜図１２に示すように、制御部１８は、Ｓ１４６の処理の後、白天板への交換が指示されたか否かを判断する（Ｓ１４７）。ここで、制御部１８は、黒天板装着済通知画面６０においてボタン６２が押された場合、白天板への交換が指示されたと判断する。
【００９８】
制御部１８は、白天板への交換が指示されていないとＳ１４７において判断すると、白天板に交換しないことが指示されたか否かを判断する（Ｓ１４８）。ここで、制御部１８は、黒天板装着済通知画面６０においてボタン６３が押された場合、白天板に交換しないことが指示されたと判断する。
【００９９】
制御部１８は、白天板に交換しないことが指示されていないとＳ１４８において判断すると、Ｓ１４７の処理を実行する。
【０１００】
制御部１８は、白天板に交換しないことが指示されたとＳ１４８において判断すると、Ｓ１２６〜Ｓ１３０の処理を実行して、図９〜図１２に示す動作を終了する。
【０１０１】
制御部１８は、白天板への交換が指示されたとＳ１４７において判断すると、白天板に交換されたと判断するまで、図示していないセンサーの検知結果に基づいて白天板に交換されたか否かを判断する（Ｓ１４９）。
【０１０２】
制御部１８は、厚紙原稿フラグ１７ｆが立っていないとＳ１３１において判断するか、白天板に交換されたとＳ１４９において判断すると、色補正処理を行うための補正テーブルとして白天板用補正テーブル１７ａを設定する（Ｓ１６１）。
【０１０３】
次いで、裏写り発生ページ決定手段１８ａは、裏写りが発生するか否かを示す裏写り発生フラグを倒す（Ｓ１６２）。
【０１０４】
次いで、裏写り発生ページ決定手段１８ａは、全ての原稿に対する処理が終了するまで、原稿に対して１枚ずつ順番に、Ｓ１６４〜Ｓ１７９の処理を繰り返す（Ｓ１６３）。
【０１０５】
すなわち、まず、裏写り発生ページ決定手段１８ａは、Ｓ１６１において設定された白天板用補正テーブル１７ａを使用して原稿の表面の画像を画像読取部によって読み取る（Ｓ１６４）。
【０１０６】
次いで、裏写り発生ページ決定手段１８ａは、原稿の画像における高濃度の画素を数えるための高濃度画素数を０にする（Ｓ１６５）。
【０１０７】
次いで、裏写り発生ページ決定手段１８ａは、Ｓ１６４において読み取った表面の画像における全ての画素に対する処理が終了するまで、画素に対して１つずつ順番に、Ｓ１６７およびＳ１６８の処理を繰り返す（Ｓ１６６）。
【０１０８】
すなわち、まず、裏写り発生ページ決定手段１８ａは、対象の画素の濃度値が裏写り判定用濃度閾値１７ｃ以下であるか否かを判断する（Ｓ１６７）。なお、濃度値の比較は、ＲＧＢ値をグレースケールに変換した後、グレースケールにおける濃度値の比較で実行される。また、濃度値は、値が小さいほど高濃度であることを示しており、例えば、最低が０（黒色）であり、最高が２５５（白色）である。
【０１０９】
裏写り発生ページ決定手段１８ａは、対象の画素の濃度値が裏写り判定用濃度閾値１７ｃ以下であるとＳ１６７において判断すると、高濃度画素数を１増加させる（Ｓ１６８）。一方、裏写り発生ページ決定手段１８ａは、対象の画素の濃度値が裏写り判定用濃度閾値１７ｃより大きいとＳ１６７において判断すると、高濃度画素数を変化させない。
【０１１０】
裏写り発生ページ決定手段１８ａは、Ｓ１６４において読み取った表面の画像における全ての画素に対する処理が終了したとＳ１６６において判断すると、高濃度画素数が裏写り判定用画素数閾値１７ｄ以上であるか否かを判断する（Ｓ１６９）。
【０１１１】
裏写り発生ページ決定手段１８ａは、高濃度画素数が裏写り判定用画素数閾値１７ｄ以上であるとＳ１６９において判断すると、裏写り発生フラグを立てて（Ｓ１７０）、裏写りが発生するページ（以下「裏写り発生ページ」と言う。）として裏面のページを記憶する（Ｓ１７１）。
【０１１２】
一方、裏写り発生ページ決定手段１８ａは、高濃度画素数が裏写り判定用画素数閾値１７ｄ未満であるとＳ１６９において判断すると、裏写り発生フラグを変化させないし、裏面のページを裏写り発生ページとして記憶もしない。
【０１１３】
裏写り発生ページ決定手段１８ａは、高濃度画素数が裏写り判定用画素数閾値１７ｄ未満であるとＳ１６９において判断するか、Ｓ１７１の処理が終了すると、Ｓ１６１において設定された白天板用補正テーブル１７ａを使用して原稿の裏面の画像を画像読取部によって読み取る（Ｓ１７２）。
【０１１４】
次いで、裏写り発生ページ決定手段１８ａは、高濃度画素数を０にする（Ｓ１７３）。
【０１１５】
次いで、裏写り発生ページ決定手段１８ａは、Ｓ１６４において読み取った裏面の画像における全ての画素に対する処理が終了するまで、画素に対して１つずつ順番に、Ｓ１７５およびＳ１７６の処理を繰り返す（Ｓ１７４）。
【０１１６】
すなわち、まず、裏写り発生ページ決定手段１８ａは、対象の画素の濃度値が裏写り判定用濃度閾値１７ｃ以下であるか否かを判断する（Ｓ１７５）。
【０１１７】
裏写り発生ページ決定手段１８ａは、対象の画素の濃度値が裏写り判定用濃度閾値１７ｃ以下であるとＳ１７５において判断すると、高濃度画素数を１増加させる（Ｓ１７６）。一方、裏写り発生ページ決定手段１８ａは、対象の画素の濃度値が裏写り判定用濃度閾値１７ｃより大きいとＳ１７５において判断すると、高濃度画素数を変化させない。
【０１１８】
裏写り発生ページ決定手段１８ａは、Ｓ１７２において読み取った裏面の画像における全ての画素に対する処理が終了したとＳ１７４において判断すると、高濃度画素数が裏写り判定用画素数閾値１７ｄ以上であるか否かを判断する（Ｓ１７７）。
【０１１９】
裏写り発生ページ決定手段１８ａは、高濃度画素数が裏写り判定用画素数閾値１７ｄ以上であるとＳ１７７において判断すると、裏写り発生フラグを立てて（Ｓ１７８）、表面のページを裏写り発生ページとして記憶する（Ｓ１７９）。
【０１２０】
一方、裏写り発生ページ決定手段１８ａは、高濃度画素数が裏写り判定用画素数閾値１７ｄ未満であるとＳ１７７において判断すると、裏写り発生フラグを変化させないし、表面のページを裏写り発生ページとして記憶もしない。
【０１２１】
裏写り発生ページ決定手段１８ａは、全ての原稿に対する処理が終了したとＳ１６３において判断すると、画像読取部によって読み取られた画像に裏写りが発生するか否かを判断する（Ｓ１８０）。ここで、裏写り発生ページ決定手段１８ａは、裏写り発生フラグが立っている場合に裏写りが発生すると判定し、裏写り発生フラグが倒れている場合に裏写りが発生しないと判定する。
【０１２２】
制御部１８は、裏写りが発生しないとＳ１８０において判断されると、全ての原稿に対してＳ１６４およびＳ１７２の処理によって読み取った画像をプリンター１４によって記録媒体に印刷して（Ｓ１３０）、図９〜図１２に示す動作を終了する。
【０１２３】
黒天板交換通知手段１８ｂは、裏写りが発生するとＳ１８０において判断されると、図１６に示すプレビュー画面７０を表示部１２に表示する（Ｓ１８１）。
【０１２４】
図１６は、表示部１２に表示されるプレビュー画面７０の一例を示す図である。
【０１２５】
図１６に示すプレビュー画面７０は、何ページ目に裏写りが発生しているかということと、黒天板への交換の提案とを通知するメッセージ７１と、画像読取部によって読み取られた１ページ目の画像（以下「１ページ目画像」と言う。２ページ目以降についても同様である。）のプレビュー画像７２ａと、１ページ目画像に裏写りが発生しているか否かを示す裏写り区別用画像７２ｂと、２ページ目画像のプレビュー画像７３ａと、２ページ目画像に裏写りが発生しているか否かを示す裏写り区別用画像７３ｂと、３ページ目画像のプレビュー画像７４ａと、３ページ目画像に裏写りが発生しているか否かを示す裏写り区別用画像７４ｂと、４ページ目画像のプレビュー画像７５ａと、４ページ目画像に裏写りが発生しているか否かを示す裏写り区別用画像７５ｂと、黒天板に交換してジョブを実行することをＭＦＰ１０に伝えるためのボタン７６とを含む。プレビュー画面７０は、ボタン７６が押されると、表示部１２による表示が終了する。
【０１２６】
なお、図１６に示すプレビュー画面７０では、全部で４ページの原稿を例にしているが、何ページの原稿であっても良い。
【０１２７】
図１７は、図１６に示すプレビュー画面７０に示されているプレビュー画像７２ａ、７３ａ、７４ａおよび７５ａの基になった原稿を示す図である。
【０１２８】
図１７に示すように、１ページ目の原稿２０１は、１枚目の原稿２００の表面２００ａである。２ページ目の原稿２０２は、１枚目の原稿２００の裏面２００ｂである。３ページ目の原稿２１１は、２枚目の原稿２１０の表面２１０ａである。４ページ目の原稿２１２は、２枚目の原稿２１０の裏面２１０ｂである。
【０１２９】
１ページ目の原稿２０１には、色の濃度が濃い画像２０１ａと、色の濃度が画像２０１ａより薄い画像２０１ｂと、色の濃度が画像２０１ｂより薄い画像２０１ｃと、色の濃度が画像２０１ｃより薄い画像２０１ｄとが含まれている。２ページ目の原稿２０２には、色の濃度が画像２０１ａより薄く画像２０１ｂより濃い画像２０２ａが含まれている。３ページ目の原稿２１１には、色の濃度が画像２０２ａより薄く画像２０１ｂより濃い画像２１１ａが含まれている。４ページ目の原稿２１２には、色の濃度が画像２０２ａより薄く画像２１１ａより濃い画像２１２ａと、色の濃度が画像２０２ａより薄く画像２１２ａより濃い画像２１２ｂとが含まれている。
【０１３０】
図１６および図１７に示すように、１ページ目画像のプレビュー画像７２ａには、１ページ目の原稿２０１の画像２０１ａ、２０１ｂ、２０１ｃ、２０１ｄがそれぞれ読み取られた画像７２ｃ、７２ｄ、７２ｅ、７２ｆと、２ページ目の原稿２０２の画像２０２ａが裏写りした画像７２ｇとが含まれている。２ページ目画像のプレビュー画像７３ａには、２ページ目の原稿２０２の画像２０２ａが読み取られた画像７３ｃと、１ページ目の原稿２０１の画像２０１ａが裏写りした画像７３ｄとが含まれている。３ページ目画像のプレビュー画像７４ａには、３ページ目の原稿２１１の画像２１１ａが読み取られた画像７４ｃと、４ページ目の原稿２１２の画像２１２ａ、２１２ｂがそれぞれ裏写りした画像７４ｄ、７４ｅとが含まれている。４ページ目画像のプレビュー画像７５ａには、４ページ目の原稿２１２の画像２１２ａ、２１２ｂがそれぞれ読み取られた画像７５ｃ、７５ｄとが含まれている。
【０１３１】
図１６に示すプレビュー画面７０において、裏写り区別用画像７２ｂ、７３ｂ、７４ｂおよび７５ｂは、操作部１１を介して押されることによって、裏写りが発生していることを示す「ＮＧ」表示と、裏写りが発生していないことを示す「ＯＫ」表示とに切り替わることができる。なお、図示していないが、全てのページに対して一度に「ＯＫ」表示にしたり、「ＮＧ」表示にしたりすることができるボタンが別途設けられても良い。
【０１３２】
黒天板交換通知手段１８ｂは、表示部１２へのプレビュー画面７０の表示を開始した時点において、Ｓ１７１またはＳ１７９の処理において裏写り発生ページとして記憶したページに対する裏写り区別用画像の表示を「ＮＧ」表示とし、Ｓ１７１またはＳ１７９の処理において裏写り発生ページとして記憶しなかったページに対する裏写り区別用画像の表示を「ＯＫ」表示とする。
【０１３３】
利用者は、操作部１１を介して裏写り区別用画像７２ｂ、７３ｂ、７４ｂまたは７５ｂを押すことによって、押した裏写り区別用画像７２ｂ、７３ｂ、７４ｂおよび７５ｂの表示を切り替えることができる。例えば、２ページ目画像のプレビュー画像７３ａを見た利用者が、１ページ目の原稿２０１の画像２０１ａが裏写りした画像７３ｄの大きさが小さいことと、画像７３ｄの位置が端寄りであることとを考慮して、あまり気にならない程度の裏写りであると判断して、裏写り区別用画像７３ｂを「ＮＧ」表示から「ＯＫ」表示に切り替えることが考えられる。また、３ページ目画像のプレビュー画像７４ａを見た利用者が、４ページ目の原稿２１２の画像２１２ａ、２１２ｂがそれぞれ裏写りした画像７４ｄ、７４ｅの色の濃度の薄さを考慮して、あまり気にならない程度の裏写りであると判断して、裏写り区別用画像７４ｂを「ＮＧ」表示から「ＯＫ」表示に切り替えることが考えられる。一方、利用者は、裏写り発生ページ決定手段１８ａによって裏写り発生ページではないと判定されたページの画像のプレビュー画像を見て、裏写りが気になると判断して、裏写り区別用画像を「ＯＫ」表示から「ＮＧ」表示に切り替えることもできる。
【０１３４】
図９〜図１２に示すように、裏写り発生ページ決定手段１８ａは、Ｓ１８１の処理の後、ボタン７６が押されたと判断するまで、ボタン７６が押されたか否かを判断する（Ｓ１８２）。
【０１３５】
裏写り発生ページ決定手段１８ａは、ボタン７６が押されたとＳ１８２において判断すると、全てのページに対して裏写り発生ページか否かを決定する（Ｓ１８３）。ここで、裏写り発生ページ決定手段１８ａは、ボタン７６が押された時点で裏写り区別用画像が「ＮＧ」表示であったページを、裏写り発生ページとして指定されたページとして受け付けて、受け付けたページを裏写り発生ページとして決定する。一方、裏写り発生ページ決定手段１８ａは、ボタン７６が押された時点で裏写り区別用画像が「ＯＫ」表示であったページを、裏写りが発生しないページとして決定する。
【０１３６】
次いで、制御部１８は、裏写り発生ページがＳ１８３において決定されたか否かを判断する（Ｓ１８４）。
【０１３７】
制御部１８は、裏写り発生ページが決定されなかったとＳ１８４において判断すると、全ての原稿に対してＳ１６４およびＳ１７２の処理によって読み取った画像をプリンター１４によって記録媒体に印刷して（Ｓ１３０）、図９〜図１２に示す動作を終了する。
【０１３８】
再読み取り手段１８ｃは、裏写り発生ページが決定されたとＳ１８４において判断されると、図１８に示す再読み取り選択画面８０を表示部１２に表示する（Ｓ１８５）。
【０１３９】
図１８は、表示部１２に表示される再読み取り選択画面８０の一例を示す図である。
【０１４０】
図１８に示す再読み取り選択画面８０は、再読み取りの方法を選択することと、再読み取りの実行を指示することとを通知するメッセージ８１と、ＡＤＦ１３ｂに全ページの原稿がセットされる再読み取りの指定を受け付けるためのラジオボタン８２と、ＮＧ原稿、すなわち、裏写り発生ページとしてＳ１８３において決定された原稿のみがセットされる再読み取りの指定を受け付けるためのラジオボタン８３と、再読み取りの実行の指示を受け付けるためのボタン８４とを含む。ラジオボタン８２および８３は、常に何れか１つが選択されている状態になる。利用者は、操作部１１を介してラジオボタン８２および８３の何れかを選択することができる。再読み取り選択画面８０は、ボタン８４が押されると、表示部１２による表示が終了する。
【０１４１】
図９〜図１２に示すように、再読み取り手段１８ｃは、Ｓ１８５の処理の後、ボタン８４が押されたと判断するまで、ボタン８４が押されたか否かを判断する（Ｓ１８６）。
【０１４２】
再読み取り手段１８ｃは、ボタン８４が押されたとＳ１８６において判断すると、黒天板に交換されたと判断するまで、図示していないセンサーの検知結果に基づいて黒天板に交換されたか否かを判断する（Ｓ１８７）。
【０１４３】
再読み取り手段１８ｃは、黒天板に交換されたとＳ１８７において判断すると、色補正処理を行うための補正テーブルとして黒天板用補正テーブル１７ｂを設定する（Ｓ１８８）。
【０１４４】
次いで、再読み取り手段１８ｃは、再読み取り選択画面８０においてボタン８４が押された時点で選択されていた再読み取りの方法を判断する（Ｓ１８９）。ここで、再読み取り手段１８ｃは、ボタン８４が押された時点でラジオボタン８２が選択されている場合、全ページの原稿がセットされる再読み取りを再読み取りの方法として判断する。また、再読み取り手段１８ｃは、ボタン８４が押された時点でラジオボタン８３が選択されている場合、ＮＧ原稿のみがセットされる再読み取りを再読み取りの方法として判断する。
【０１４５】
再読み取り手段１８ｃは、ＮＧ原稿のみがセットされる再読み取りを再読み取りの方法としてＳ１８９において判断すると、ＮＧ原稿のページ数分、Ｓ１８８において設定した黒天板用補正テーブル１７ｂを使用して画像読取部によって原稿から画像を再び読み取らせて（Ｓ１９０）、Ｓ１９０において読み取った画像を、Ｓ１６４またはＳ１７２の処理によって読み取ったＮＧ原稿の画像と差し替える（Ｓ１９１）。例えば、再読み取り手段１８ｃは、全部で１０ページの原稿の３ページ目および８ページ目の合計２ページがＮＧ原稿である場合、再読み取りの開始後に最初に読み取ったページの画像を３ページ目の画像と差し替え、次に読み取ったページの画像を８ページ目の画像と差し替える。
【０１４６】
再読み取り手段１８ｃは、全ページがセットされる再読み取りを再読み取りの方法としてＳ１８９において判断すると、全ページに対してＡＤＦ１３ｂによる搬送を行いながら、ＮＧ原稿のページのみ、Ｓ１８８において設定した黒天板用補正テーブル１７ｂを使用して画像読取部によって原稿から画像を再び読み取らせて（Ｓ１９２）、Ｓ１９２において読み取った画像を、Ｓ１６４またはＳ１７２の処理によって読み取ったＮＧ原稿の画像と差し替える（Ｓ１９１）。例えば、再読み取り手段１８ｃは、全部で１０ページの原稿の３ページ目および８ページ目の合計２ページがＮＧ原稿である場合、全１０ページに対してＡＤＦ１３ｂによる搬送を行うが、再読み取りの開始後に１ページ目および２ページ目の再読み取りを飛ばし、３ページ目の原稿を再読み取りした画像を前回の３ページ目の画像と差し替え、４ページ目〜７ページ目の再読み取りを飛ばし、８ページ目の原稿を再読み取りした画像を前回の８ページ目の画像と差し替え、９ページ目および１０ページ目の再読み取りを飛ばす。
【０１４７】
なお、ＭＦＰ１０は、黒天板に交換されて再び画像を読み取る（Ｓ１９０またはＳ１９２）前に、Ｓ１６４またはＳ１７２の処理によって読み取った画像のうち、Ｓ１９１において差し替えられるページの画像を削除しておくと、原稿の読み取りに必要な記憶容量を低減することができる。
【０１４８】
制御部１８は、Ｓ１９１の処理の後、全ての原稿に対してＳ１６４およびＳ１７２の処理によって読み取って、Ｓ１９１の処理によって少なくとも一部が差し替えられた画像をプリンター１４によって記録媒体に印刷して（Ｓ１３０）、図９〜図１２に示す動作を終了する。
【０１４９】
なお、以上においては、原稿の両面の画像を記録媒体の両面または片面に印刷するコピーのジョブについて説明したが、原稿の片面の画像を記録媒体の片面または両面に印刷するコピーのジョブについても同様である。ただし、原稿の片面、すなわち表面の画像を記録媒体の片面または両面に印刷するコピーのジョブの場合、原稿の表面のみを複写するので、原稿の裏面の複写のためのみの原稿の裏面の読み取りに関するＳ１２９の処理は不要であるし、原稿の裏面側から画像読取部によって読み取られた画像の裏写りの判定のためのみのＳ１６５〜Ｓ１７１の処理も不要である。
【０１５０】
また、以上においては、コピーのジョブの実行について説明したが、スキャンのジョブ、ファックスのジョブなど、スキャナー１３によって原稿から読み取った画像を処理する種々のジョブの実行についても同様である。
【０１５１】
以上に説明したように、ＭＦＰ１０は、裏写りが発生すると決定した（Ｓ１８３）ページのみ、画像読取部によって再び読み取らせた（Ｓ１９０またはＳ１９２）画像を、画像読取部によって前回読み取られた画像と差し替える（Ｓ１９１）。そのため、ＭＦＰ１０は、裏写りが発生しないと決定したページの画像を、白天板が画像読取部に対向して配置されている場合に画像読取部によって読み取られた（Ｓ１６４またはＳ１７２）画像とするとともに、裏写りが発生すると決定したページの画像を、黒天板が画像読取部に対向して配置されている場合に画像読取部によって読み取られた（Ｓ１９０またはＳ１９２）画像とする。したがって、ＭＦＰ１０は、全体として高画質の画像を得ることができる。
【０１５２】
ＭＦＰ１０は、黒天板への交換の提案を通知する場合に（Ｓ１８１）、画像読取部によって読み取られた画像をプレビュー画像によって通知する。そして、ＭＦＰ１０は、裏写りが発生するページの指定を受け付け、受け付けたページを、裏写りが発生するページとして決定する（Ｓ１８３）。したがって、ＭＦＰ１０は、実際に読み取った画像を利用者に視認させた上で、裏写りが発生すると利用者によって判定されたページのみ画像を差し替えることができる。
【０１５３】
なお、ＭＦＰ１０は、黒天板への交換の提案を通知する場合に（Ｓ１８１）、画像読取部によって読み取られた画像をプレビュー画像によって通知せずに、裏写りが発生すると判定したページのみを通知しても良い。この場合には、ＭＦＰ１０は、裏写りが発生すると判定したページの原稿を実際に利用者に視認させた上で、裏写りが発生すると利用者によって判定されたページのみ画像を差し替えることができる。
【０１５４】
また、ＭＦＰ１０は、黒天板への交換の提案を通知する場合に（Ｓ１８１）、裏写りが発生すると判定したページを通知しなくても良い。この場合には、ＭＦＰ１０は、ＮＧ原稿のみに対する再読み取りを再読み取りの方法として採用することができないが、全ページの原稿に対する再読み取りを再読み取りの方法として採用することができる。
【０１５５】
ＭＦＰ１０は、画像読取部によって前回読み取られた画像と差し替えるページのみ、画像読取部によって画像を再び読み取らせるので、効率を向上することができる。特に、複数のページの原稿の読み取りの場合に、ＡＤＦ１３ｂが使用されずに利用者が手動で１ページずつ原稿を画像読取部１３ｃにセットするとき、ＭＦＰ１０は、再読み取りに対する効率を向上して、利用者の作業ストレスを軽減することができる。
【０１５６】
なお、ＭＦＰ１０は、画像読取部によって前回読み取られた画像と差し替えるページに関わらず、全てのページに対して画像読取部によって再び読み取らせ手も良い。すなわち、ＭＦＰ１０は、全てのページに対して画像読取部によって再び読み取らせた画像のうち一部のページのみ差し替えても良い。
【０１５７】
ＭＦＰ１０は、画像読取部によって画像を再び読み取らせる場合に、全ての原稿がＡＤＦ１３ｂによって搬送されるとき、画像読取部によって前回読み取られた画像と差し替えるページ以外のページに対して、画像読取部によって画像を再び読み取らせることなく、ＡＤＦ１３ｂによる搬送を行う（Ｓ１９２）。この構成により、ＭＦＰ１０は、差し替えるページを原稿の全体のページから利用者が抽出する必要がないので、効率を向上することができる。
【０１５８】
ＭＦＰ１０は、原稿の一面側から画像読取部によって読み取られた画像において特定の濃度以上の画素、すなわち、原稿の他面側から観察した場合に原稿の他面側に透けて見えるほど高濃度の画素が存在する場合に（Ｓ１６７でＹＥＳまたはＳ１７５でＹＥＳ）、原稿の他面側から画像読取部によって読み取られた画像に裏写りが発生すると判定する（Ｓ１８０でＹＥＳ）。そして、ＭＦＰ１０は、白天板が画像読取部に対向して配置されている場合に（Ｓ１２１で白）、裏写りが発生すると判定したとき（Ｓ１８０でＹＥＳ）、黒天板への交換の提案を通知する（Ｓ１８１）。したがって、ＭＦＰ１０は、画像読取部によって読み取られる画像に裏写りが発生するか否かを利用者が原稿を見て判断する必要が無く、利便性を向上することができる。すなわち、利用者は、まず、蓋１３ａに白天板が装着されている状態で画像の読み取りを実行すれば良い。そして、利用者は、裏写りが発生するとＭＦＰ１０によって判定されて、黒天板への交換の提案がＭＦＰ１０によって通知されたときのみ、黒天板に交換して画像の読み取りを再び実行すれば良い。
【０１５９】
また、ＭＦＰ１０は、原稿の一面側から画像読取部によって読み取られた画像において特定の濃度以上の画素が特定の数以上存在する場合に（Ｓ１６９でＹＥＳまたはＳ１７７でＹＥＳ）、原稿の他面側から画像読取部によって読み取られた画像に裏写りが発生すると判定する。すなわち、ＭＦＰ１０は、原稿の一面側から画像読取部によって読み取られた画像において特定の濃度以上の画素が存在する場合（Ｓ１６７でＹＥＳまたはＳ１７５でＹＥＳ）であっても、特定の濃度以上の画素が特定の数未満であるときに（Ｓ１６９でＮＯまたはＳ１７７でＮＯ）、原稿の他面側から画像読取部によって読み取られた画像に裏写りが発生すると判定しない（Ｓ１８０でＮＯ）。したがって、ＭＦＰ１０は、利用者にとってあまり気にならない程度の少しの裏写りを問題とせず、利便性を向上することができる。
【０１６０】
ＭＦＰ１０は、裏写り判定用濃度閾値１７ｃおよび裏写り判定用画素数閾値１７ｄの指定を受け付けるので、画像読取部によって読み取られた画像に裏写りが発生するか否かの判定基準が利用者の好みに合わせて調整されることができる。
【０１６１】
ＭＦＰ１０は、白天板が画像読取部に対向して配置されている場合に（Ｓ１２１で白）、裏写りが発生する可能性が高い原稿、すなわち、裏紙原稿であることの指定が受け付けられているとき（Ｓ１２２でＹＥＳ）、黒天板への交換の提案を通知する（Ｓ１２３）ので、利便性を向上することができる。
【０１６２】
ＭＦＰ１０は、裏写りが発生する可能性が低い原稿、すなわち、厚紙原稿であることの指定が受け付けられている場合（Ｓ１３１でＹＥＳおよびＳ１４２でＹＥＳ）、黒天板が画像読取部に対向して配置されているときに（Ｓ１２１で黒）白天板への交換の提案を通知し（Ｓ１４３）、白天板が画像読取部に対向して配置されているときに（Ｓ１２１で白）裏写りが発生するか否かを判定しない。したがって、ＭＦＰ１０は、利便性を向上することができる。
【０１６３】
なお、本実施の形態においては、裏写りが発生する可能性が高い原稿として裏紙原稿が採用されているが、裏写りが発生する可能性が高い原稿として、裏紙原稿以外の種類の原稿が採用されても良い。また、本実施の形態においては、裏写りが発生する可能性が低い原稿として厚紙原稿が採用されているが、裏写りが発生する可能性が低い原稿として、厚紙原稿以外の種類の原稿が採用されても良い。
【０１６４】
また、本発明の画像形成装置は、本実施の形態において第１部材、第２部材をそれぞれ白天板、黒天板としているが、第２部材の色の濃度が第１部材より濃ければ、白天板、黒天板以外であっても良い。例えば、第２部材は、第１部材が白天板である場合に、グレーの天板、緑の天板または青の天板であっても良い。
【０１６５】
本発明の画像形成装置は、本実施の形態においてＭＦＰであるが、スキャナーを備えていれば、コピー専用機、スキャナー専用機、ファックス専用機など、ＭＦＰ以外の画像形成装置であっても良い。
【符号の説明】
【０１６６】
１０  ＭＦＰ（画像形成装置）
１３ｂ  ＡＤＦ（自動原稿送り装置）
１３ｃ、１３ｄ  画像読取部
１３ｅ、１３ｆ  白天板（第１部材）
１３ｇ、１３ｈ  黒天板（第２部材）
１７ｃ  裏写り判定用濃度閾値（特定の濃度）
１７ｄ  裏写り判定用画素数閾値（特定の数）
１８ａ  裏写り発生ページ決定手段
１８ｂ  黒天板交換通知手段（第２部材交換通知手段）
１８ｃ  再読み取り手段
７２ａ、７３ａ、７４ａ、７５ａ  プレビュー画像
９０  原稿
２００、２０１、２０２  原稿
２１０、２１１、２１２  原稿
【図１】
2016034081.tif 000003
【図２】
2016034081.tif 000004
【図３】
2016034081.tif 000005
【図４】
2016034081.tif 000006
【図５】
2016034081.tif 000007
【図６】
2016034081.tif 000008
【図７】
2016034081.tif 000009
【図８】
2016034081.tif 000010
【図９】
2016034081.tif 000011
【図１０】
2016034081.tif 000012
【図１１】
2016034081.tif 000013
【図１２】
2016034081.tif 000014
【図１３】
2016034081.tif 000015
【図１４】
2016034081.tif 000016
【図１５】
2016034081.tif 000017
【図１８】
2016034081.tif 000018
【図１６】
2016034081.tif 000019
【図１７】
2016034081.tif 000020